(57)【要約】【課題】複数ＰＤＮコネクションを切断する際にパケット交換局装置とサービングゲートウェイ装置との間で送受信される信号量を減らし、パケット交換局装置及びサービングゲートウェイ装置の処理負荷を軽減すること。【解決手段】第１通信方式の移動通信システムにおいてＵＥが在圏していたエリアのＳ-ＧＷ１５に対して、第２通信方式の移動通信システムにおいて前記ＵＥが在圏するエリアのＳＧＳＮ２２から、Ｓ-ＧＷ１５を起点にしてＵＥに対して設定しているＰＤＮコネクションの変更を要求する方法であり、変更対象のＰＤＮコネクション情報と切断対象のＰＤＮコネクション情報とＰＤＮコネクション切断用のタイマ起動要求とを設定可能な変更信号をＳＧＳＮ２２からＳ-ＧＷ１５へ送信し、Ｓ-ＧＷ１５においてタイマ起動要求を受けてタイマを起動し、タイマが満了したら変更信号に設定された切断対象のＰＤＮコネクション情報に基づいて切断対象ＰＤＮコネクションを切断する。【選択図】図３
2012044255.tif 000002
【特許請求の範囲】
【請求項１】
第１通信方式の移動通信システムにおいて対象移動機が在圏していたエリアのサービングゲートウェイ装置に対して、第２通信方式の移動通信システムにおいて前記対象移動機が在圏するエリアのパケット交換局から、前記サービングゲートウェイ装置を起点にして対象移動局に対して設定しているＰＤＮコネクションの変更を要求するＰＤＮコネクション変更方法であり、
変更対象のＰＤＮコネクション情報と切断対象のＰＤＮコネクション情報とＰＤＮコネクション切断用のタイマ起動要求とを設定可能な構造を有する変更信号を前記パケット交換局から前記サービングゲートウェイ装置へ送信する工程と、
前記変更信号を受信した前記サービングゲートウェイ装置が前記変更信号に設定された前記タイマ起動要求を受けてタイマを起動する工程と、
前記タイマが満了したら前記変更信号に設定された前記切断対象のＰＤＮコネクション情報に基づいて切断対象ＰＤＮコネクションを切断する工程と、
を具備したことを特徴とするＰＤＮコネクション変更方法。
【請求項２】
前記サービングゲートウェイ装置が前記タイマ起動要求を受けて起動させたタイマのタイマ起動結果が含まれた変更応答信号を、前記サービングゲートウェイ装置から前記パケット交換局へ送信する工程を、具備したことを特徴とする請求項１記載のＰＤＮコネクション変更方法。
【請求項３】
前記パケット交換局が前記変更信号を用いてＰＤＮコネクションの変更を要求した後、前記サービングゲートウェイ装置から受信した変更応答信号に、タイマ起動結果が明示されていない場合、変更処理の後の切断処理において、切断対象のＰＤＮコネクションを１つだけ設定した切断信号を、切断対象のＰＤＮコネクション数だけ繰り返し送信することを特徴とする請求項１又は請求項２記載のＰＤＮコネクション変更方法。
【請求項４】
前記前記パケット交換局から前記変更信号を受信した前記サービングゲートウェイ装置が、外部ネットワーク接続ゲートウェイ装置毎に前記変更信号を転送することを特徴とする請求項１から請求項３のいずれかに記載のＰＤＮコネクション変更方法。
【請求項５】
第１通信方式の移動通信システムにおいて対象移動機が在圏していたエリアのサービングゲートウェイ装置に対して、第２通信方式の移動通信システムにおいて前記対象移動機が在圏するエリアのパケット交換局から、前記サービングゲートウェイ装置を起点にして対象移動局に対して設定しているＰＤＮコネクションの変更を要求するＰＤＮコネクション変更方法であり、
前記パケット交換局から変更要求を受けたサービングゲートウェイ装置が、変更対象のＰＤＮコネクション情報と切断対象のＰＤＮコネクション情報とＰＤＮコネクション切断用のタイマ起動要求とを設定可能な構造を有する変更信号を外部ネットワーク接続ゲートウェイ装置へ送信する工程と、
前記変更信号を受信した前記外部ネットワーク接続ゲートウェイ装置がタイマ満了後に前記変更信号に設定された前記切断対象のＰＤＮコネクション情報に基づいて切断対象のＰＤＮコネクションを切断する工程と、
と具備したことを特徴とするＰＤＮコネクション変更方法。
【請求項６】
第１通信方式の移動通信システムにおいてサービングゲートウェイ装置を起点にして対象移動局に対して設定しているＰＤＮコネクションを第２通信方式の移動通信システム側で引き継ぐパケット交換局であり、
前記サービングゲートウェイ装置を起点にして設定している複数ＰＤＮコネクションのうち所定数のＰＤＮコネクションを引継ぎ対象に決定する引き継ぎ処理手段と、
引き継ぎ対象とならなかった切断対象のＰＤＮコネクション情報とＰＤＮコネクション切断用のタイマ起動要求を設定可能な構造を有する変更信号を前記サービングゲートウェイ装置へ送信する変更要求手段と、
前記サービングゲートウェイ装置から前記タイマ起動要求に対するタイマ起動結果が含まれた変更応答信号を受信する受信手段と、
を具備することを特徴とするパケット交換局。
【請求項７】
第１通信方式の移動通信システムにおいて対象移動局に対して設定しているＰＤＮコネクションの起点となるサービングゲートウェイ装置であり、
前記ＰＤＮコネクションを第２通信方式の移動通信システム側で引き継ぐパケット交換局から送信される切断対象のＰＤＮコネクション情報とＰＤＮコネクション切断用のタイマ起動要求を設定可能な構造を有する変更信号を受信する受信手段と、
前記受信手段で受信された前記変更信号に設定された前記タイマ起動要求に対応してＰＤＮコネクション切断用のタイマを起動させるタイマ起動手段と、
前記タイマが満了したら前記変更信号に設定された前記切断対象のＰＤＮコネクション情報に基づいて切断対象ＰＤＮコネクションを切断する切断処理手段と、
を具備したことを特徴とするサービングゲートウェイ装置。
【発明の詳細な説明】
【技術分野】
【０００１】
本発明は、移動通信ネットワークにおけるパケット交換局、サービングゲートウェイ装置及びＰＤＮ（Ｐａｃｋｅｔ  Ｄａｔａ  Ｎｅｔｗｏｒｋ）コネクションの変更方法に関する。
【背景技術】
【０００２】
現在、通信方式の異なる複数の移動通信ネットワークが互いのサービスエリアを重複してサービス提供し、端末（ＵＥ：Ｕｓｅｒ  Ｅｑｕｉｐｍｅｎｔ）が通信方式を適宜切り替えて双方の移動通信ネットワークからサービス提供を受ける通信システムが検討されている。たとえば、既存通信方式であるＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）方式の移動通信ネットワークと次世代通信方式であるＬＴＥ（Ｌｏｎｇ  Ｔｅｒｍ  Ｅｖｏｌｕｔｉｏｎ）方式の移動通信ネットワークとのコアネットワークを融合し、ＵＭＴＳ方式のみ対応のＵＥに対してもコアネットワーク経由でサービス提供を可能にする。また、ＬＴＥ方式（及び既存方式）対応のＵＥに対してＵＭＴＳ方式とＬＴＥ方式のどちらのネットワークにも接続できるようにして、ＬＴＥ方式の移動通信ネットワークが未整備のエリアを、ＵＭＴＳ方式のサービスエリアで補完することもできる。
【０００３】
ＵＥがＰＤＮからサービスを受ける場合、ＬＴＥ方式であればｅＮｏｄｅＢ（基地局）とＰ-ＧＷ（外部ネットワーク接続ゲートウェイ装置）との間にＰＤＮコネクションを設定する。ＰＤＮコネクションは提供サービス毎に設定されるので、ＰＤＮ（例えば、外部ネットワーク）から複数のサービス提供を受けていれば同時に複数のＰＤＮコネクションが設定される。現状の３ＧＰＰ仕様ではＬＴＥ方式は最大許容数ＰＤＮコネクション数が７である。一方、ＵＭＴＳ方式の無線アクセスネットワークに接続しているＵＥがＰＤＮからサービス提供を受ける場合、ＲＮＣ（制御局装置）とＳＧＳＮ（パケット交換局装置）との間にＰＤＮコネクションが設定され、さらにＳＧＳＮからＳ-ＧＷを経由してＰ-ＧＷとの間にＰＤＮコネクションが設定される。３ＧＰＰ仕様ではＵＭＴＳ方式は最大許容数ＰＤＮコネクション数が２である。
【０００４】
上記した通り、ＬＴＥ方式とＵＭＴＳ方式とで最大許容数ＰＤＮコネクション数が異なる。このため、ＬＴＥ方式からＵＭＴＳ方式へのＩｎｔｅｒ  ＲＡＴ  ＨＯ(Ｉｎｔｅｒ  ＲＡＴ  Ｈａｎｄｏｖｅｒ）やＲＡＵ（Ｒｏｕｔｉｎｇ  Ａｒｅａ  Ｕｐｄａｔｅ)において、接続を継続できないＰＤＮコネクションは切断する必要がある。
【０００５】
図７は、複数ＰＤＮコネクションを切断する際の手順を示す概念図である。
ＵＥがＥ−ＵＴＲＡＮからＵＴＲＡＮへＩｎｔｅｒ  ＲＡＴ  ＨＯする際のＰＤＮコネクション切断手順を例示している。対象移動機ＵＥがＥ-ＵＴＲＡＮのｅＮｏｄｅＢに接続しており、ＰＤＮから複数のサービス提供を受けている。同図では、対象移動機ＵＥが４つのＰＤＮコネクションにてＰＤＮに接続していて、４種類のサービス提供を受けている。図８に１つのＰＤＮコネクションの概念図を示す。ＰＤＮ接続時において、最初にデフォルトベアラ（Ｄｅｆａｕｌｔ  Ｂｅａｒｅｒ）が設定される。デフォルトベアラは、ＰＤＮ接続中は常に設定されていて、常時接続機能を提供する。デフォルトベアラが切断されると、ＰＤＮコネクションが切断される。デフォルトベアラ設定後の任意のタイミングで、ＱｏＳ制御を必要とするアプリケーション等により、必要に応じてデディケイテッドベアラ（Ｄｅｄｉｃａｔｅｄ  Ｂｅａｒｅｒ）が設定される。ＰＤＮコネクションは、デフォルトベアラと、当該デフォルトベアラに対してＱｏＳ単位で追加的に設定されるデディケイテッドベアラとで構成されているということができる。
【０００６】
図７に示すように、対象移動機ＵＥがＥ−ＵＴＲＡＮからＵＴＲＡＮへ移動してＩｎｔｅｒ  ＲＡＴ  ＨＯが発生した場合、対象移動機ＵＥが接続しているｅＮｏｄｅＢでハンドオーバープロセスが起動される。ハンドオーバープロセスが起動されたｅＮｏｄｅＢは、接続しているＭＭＥ（移動制御装置）に対して対象移動機ＵＥが接続中の全ＰＤＮコネクション情報（ＰＤＮコネクション接続中に維持されるデフォルトベアラのＩＤ）やTarget  ＲＮＣ番号を含むハンドオーバーリクエストを送出する。ＭＭＥはTarget  ＲＮＣ情報からその上位となるＳＧＳＮを導出し、受信した全ＰＤＮコネクション情報をTarget  ＳＧＳＮへ送出する。Target  ＳＧＳＮは受信した全ＰＤＮコネクションの中から引継ぎ対象とするベアラを選出し、Target  ＲＮＣに無線区間のセットアップ要求を送出する。同図には、Target  ＳＧＳＮが全部で４つのＰＤＮコネクション情報を受信し、その中から１つのＰＤＮコネクションだけを引継ぎ対象とした例が示されている。Target  ＳＧＳＮは引継ぎ対象としなかった３つのＰＤＮコネクションを切断する。そのため、３つのＰＤＮコネクションの切断要求をSource  Ｓ-ＧＷに対して送出する。３ＧＰＰ仕様（ＴＳ２９．２７４）では、ＰＤＮコネクションの切断にはＧＴＰｖ２信号を用いるよう規定されているが、ＧＴＰｖ２信号にはＰＤＮコネクションを複数設定できない。そのため、図７に示すように、複数ＰＤＮコネクションを切断する場合、Source  Ｓ-ＧＷに対して切断信号を３回繰り返し送信する。Source  Ｓ-ＧＷは、切断信号を受けたＰＤＮコネクションを切断する。
【先行技術文献】
【非特許文献】
【０００７】
【非特許文献１】３ＧＰＰ  ＴＳ２９．２７４  ７．２．９．１  “Delete  Session  Request”
【発明の概要】
【発明が解決しようとする課題】
【０００８】
しかしながら、複数ＰＤＮコネクションを切断する場合、Target  ＳＧＳＮからSource  Ｓ-ＧＷに対して切断対象の個々のＰＤＮコネクションに対応して切断信号を繰り返し送信する必要があるので、切断ＰＤＮコネクション数の増加に応じて信号量が増えることによる処理能力上の課題がある。
【０００９】
本発明は、かかる点に鑑みてなされたものであり、複数ＰＤＮコネクション切断時の一括切断を実現でき、複数ＰＤＮへの同時接続時のハンドオーバやＲＡＵ処理における信号処理を削減し、複数ＰＤＮコネクションサービスの提供時のコアネットワークへの負荷を軽減できるパケット交換局、サービングゲートウェイ装置及びＰＤＮコネクション変更方法を提供することを目的とする。
【課題を解決するための手段】
【００１０】
本発明のＰＤＮコネクション変更方法は、第１通信方式の移動通信システムにおいて対象移動機が在圏していたエリアのサービングゲートウェイ装置に対して、第２通信方式の移動通信システムにおいて前記対象移動機が在圏するエリアのパケット交換局から、前記サービングゲートウェイ装置を起点にして対象移動局に対して設定しているＰＤＮコネクションの変更を要求するＰＤＮコネクション変更方法であり、変更対象のＰＤＮコネクション情報と切断対象のＰＤＮコネクション情報とＰＤＮコネクション切断用のタイマ起動要求とを設定可能な構造を有する変更信号を前記パケット交換局から前記サービングゲートウェイ装置へ送信する工程と、前記変更信号を受信した前記サービングゲートウェイ装置が前記変更信号に設定された前記タイマ起動要求を受けてタイマを起動する工程と、前記タイマが満了したら前記変更信号に設定された前記切断対象のＰＤＮコネクション情報に基づいて切断対象ＰＤＮコネクションを切断する工程と、を具備したことを特徴とする。
【００１１】
この構成によれば、変更処理の中で切断対象ＰＤＮコネクション情報とタイマ起動要求を設定した変更信号をサービングゲートウェイ装置へ送信することで、サービングゲートウェイ装置でタイマ満了後に切断対象ＰＤＮコネクション情報に基づいて切断対象ＰＤＮコネクションを切断することができ、従来方式のように全ての切断対象ＰＤＮコネクションの数だけ切断要求を繰り返し送信するのに比べて、信号量を削減でき、パケット交換局及びサービングゲートウェイ装置の処理負荷を軽減できる。
【００１２】
本発明のＰＤＮコネクション変更方法は、前記サービングゲートウェイ装置が前記タイマ起動要求を受けて起動させたタイマのタイマ起動結果が含まれた変更応答信号を、前記サービングゲートウェイ装置から前記パケット交換局へ送信する工程を、具備したことを特徴とする。
【００１３】
この構成によれば、サービングゲートウェイ装置がタイマ起動要求を受けて起動させたタイマのタイマ起動結果が含まれた変更応答信号が変更応答として送られるので、サービングゲートウェイ装置がタイマ起動機能をサポートしているか否か判断でき、タイマ起動機能をサポートしていない場合、自動的に従来方式に動作を切り替えることができ、後方互換性を確保できる。
【００１４】
本発明のＰＤＮコネクション変更方法は、前記パケット交換局が前記変更信号を用いてＰＤＮコネクションの変更要求した後、前記サービングゲートウェイ装置から受信した変更応答信号に、タイマ起動結果が明示されていない場合、変更処理後の切断処理において、切断対象のＰＤＮコネクションを１つだけ設定した切断信号を、切断対象のＰＤＮコネクション数だけ繰り返し送信することを特徴とする。
【００１５】
これにより、サービングゲートウェイ装置がタイマ起動機能をサポートしていない場合、自動的に従来方式に動作を切り替えることができ、後方互換性を確保できる。
【００１６】
本発明は、上記ＰＤＮコネクション変更方法において、前記前記パケット交換局から前記変更信号を受信した前記サービングゲートウェイ装置が、外部ネットワーク接続ゲートウェイ装置毎に前記変更信号を転送することを特徴とする。
【００１７】
この構成によれば、外部ネットワーク接続ゲートウェイ装置に切断対象ＰＤＮコネクション情報と変更対象ＰＤＮコネクション情報とタイマ起動要求とを含んだ変更信号を送信するので、外部ネットワーク接続ゲートウェイ装置でタイマ満了後に切断対象ＰＤＮコネクションを切断でき、サービングゲートウェイ装置との間の信号量を削減でき、外部ネットワーク接続ゲートウェイ装置とサービングゲートウェイ装置の処理負荷を軽減できる。
【００１８】
本発明のＰＤＮコネクション変更方法は、第１通信方式の移動通信システムにおいて対象移動機が在圏していたエリアのサービングゲートウェイ装置に対して、第２通信方式の移動通信システムにおいて前記対象移動機が在圏するエリアのパケット交換局から、前記サービングゲートウェイ装置を起点にして対象移動局に対して設定しているＰＤＮコネクションの変更を要求するＰＤＮコネクション変更方法であり、前記パケット交換局から変更要求を受けたサービングゲートウェイ装置が、変更対象のＰＤＮコネクション情報と切断対象のＰＤＮコネクション情報とＰＤＮコネクション切断用のタイマ起動要求とを設定可能な構造を有する変更信号を外部ネットワーク接続ゲートウェイ装置へ送信する工程と、前記変更信号を受信した前記外部ネットワーク接続ゲートウェイ装置がタイマ満了後に前記変更信号に設定された前記切断対象のＰＤＮコネクション情報に基づいて切断対象のＰＤＮコネクションを切断する工程と、と具備したことを特徴とする。
【００１９】
この構成によれば、サービングゲートウェイ装置と外部ネットワーク接続ゲートウェイ装置との間に設定されている複数ＰＤＮコネクション切断時の一括切断を実現でき、複数ＰＤＮへの同時接続時のハンドオーバやＲＡＵ処理における信号処理を削減し、複数ＰＤＮコネクションサービスの提供時のコアネットワークへの負荷を軽減できる。
【発明の効果】
【００２０】
本発明によれば、複数ＰＤＮコネクション切断時の一括切断を実現でき、複数ＰＤＮへの同時接続時のハンドオーバやＲＡＵ処理における信号処理を削減し、複数ＰＤＮコネクションサービスの提供時のコアネットワークへの負荷を軽減できる。
【図面の簡単な説明】
【００２１】
【図１】本発明の一実施形態に係る移動通信システムの概略を説明するための図である。
【図２】本発明の一実施形態におけるＳ-ＧＷおよびＳＧＳＮの機能ブロック図である。
【図３】本発明の一実施形態におけるＰＤＮコネクションの変更及び切断処理のシーケンス図である。
【図４】ＧＴＰｖ２信号を拡張した変更信号の主に拡張部分のフォーマットを示す図である。
【図５】ＧＴＰｖ２信号を拡張した変更応答信号の主に拡張部分のフォーマットを示す図である。
【図６】本発明の一実施形態におけるＳ-ＧＷの動作を示すフローチャートである。
【図７】複数ＰＤＮコネクションを切断する際の手順を示す概念図である。
【図８】ＰＤＮコネクションとベアラとの関係を示す概念図である。
【発明を実施するための形態】
【００２２】
以下、本発明の実施の形態について説明する。
図１は本実施の形態に係る通信システムの概略的なシステム構成図であり、通信方式の異なる第１通信システム及び第２通信システムが示されている。第１通信システムは、ＬＴＥ方式の移動通信ネットワークであり、無線アクセスネットワークはＥ−ＵＴＲＡＮ（Ｅｖｏｌｖｅｄ−ＵＴＲＡＮ）１１で構成されている。また、第２通信システムは、ＵＭＴＳ方式の移動通信ネットワークであり、無線アクセスネットワークはＵＴＲＡＮ２０で構成されている。移動機ＵＥは第１通信システムと第２通信システムの双方に対応可能な端末であり、携帯電話機、パソコン、その他の情報機器である。
【００２３】
コアネットワークは、主にＥＰＣ（Ｅｖｏｌｖｅｄ  Ｐａｃｋｅｔ  Ｃｏｒｅ）で構成されているが、ＵＭＴＳ／ＧＰＲＳ（Ｇｅｎｅｒａｌ  Ｐａｃｋｅｔ  Ｒａｄｉｏ  Ｓｅｒｖｉｃｅ）の機能エンティティ（ＳＧＳＮ）と一部で連携している。
【００２４】
ＭＭＥ（移動制御装置）１４は、移動機ＵＥの位置を位置登録エリア単位で補足し、移動機ＵＥの呼び出し制御を実施する機能エンティティである。ＭＭＥ（移動制御装置）１４が移動機ＵＥ−ネットワーク間の信号（ＮＡＳ信号）を終端し、ＮＡＳ信号のセキュリティー機能を提供し、ＰＤＮへのアクセス認証／承認機能を提供する。
【００２５】
Ｓ−ＧＷ１５は、ＬＴＥ無線内及びＬＴＥ−ＵＭＴＳ／ＧＰＲＳ無線間の経路切替えにおけるアンカーポイント機能を提供する機能エンティティである。移動機ＵＥがＩＤＬＥ状態の場合、移動機ＵＥ宛のパケットをバッファリングし、ＭＭＥ１４へ呼び出し依頼を実施する。ｅＮｏｄｅＢ１３−Ｓ-ＧＷ１５間のＰＤＮコネクション並びに、Ｓ-ＧＷ１５−Ｐ-ＧＷ１６間のＰＤＮコネクションの設定及び切断は、Ｓ-ＧＷ１５が行う。
【００２６】
Ｐ-ＧＷ１６は、インターネット等の外部網（ＰＤＮ１７）への接続機能を提供し、移動機ＵＥにＩＰアドレスを割り当てる機能エンティティである。また、Ｐ-ＧＷ１６は、受信パケットを分析して、ＥＰＣ内ベアラへのマッピングを実施する。
【００２７】
ＳＧＳＮ２２は、ＵＭＴＳ／ＧＰＲＳの機能エンティティであり、ＵＭＴＳ／ＧＰＲＳのＵＴＲＡＮ２０に接続される移動機ＵＥを、ＥＰＣの機能エンティティであるＳ−ＧＷ１５に接続してＥＰＣ経由でＰＤＮ１７へ接続する。ＳＧＳＮ２２は、ＭＭＥ１４から渡される複数ＰＤＮコネクションの中から引き継ぐべきＰＤＮコネクションを選定する。ＵＭＴＳ／ＧＰＲＳでは同時設定可能なＰＤＮコネクション数は２である。
【００２８】
Ｅ−ＵＴＲＡＮ１１からｅＮｏｄｅＢ１３に接続しているＵＥに対しては、ｅＮｏｄｅＢ１３から直接Ｓ−ＧＷ１５にベアラが設定されるが、ＵＴＲＡＮ２０から無線基地局に接続しているＵＥに対して、当該無線基地局を管理するＲＮＣ２１からＳＧＳＮ２２にベアラが設定される。そして、ＳＧＳＮ２２からＳ−ＧＷ１５との間にベアラが設定され、Ｓ−ＧＷ１５とＰ-ＧＷ１６との間にベアラが設定される。すなわち、ＳＧＳＮ２２からＳ−ＧＷ１５−Ｐ-ＧＷ１６経由でＰＤＮ１７と接続する。
【００２９】
ここで、Ｓ-ＧＷ１５およびＳＧＳＮ２２におけるＰＤＮコネクションの変更処理及び切断処理に関する機能について説明する。ＧＴＰｖ２の変更要求で使用される変更信号には、変更対象となるＰＤＮコネクションを複数設定できる既存情報要素が用意されている。本発明は、変更信号（ＧＴＰｖ２）に切断ＰＤＮコネクションリストとＰＤＮコネクション切断用のタイマ起動要求とを設定する拡張パラメタを追加する。ＳＧＳＮ２２は、変更信号（ＧＴＰｖ２）の既存情報要素に変更対象となるＰＤＮコネクション（引継ぎ対象ＰＤＮコネクションと一致）を設定し、拡張パラメタとして切断ＰＤＮコネクションリストとＰＤＮコネクション切断用のタイマ起動要求とを設定してＳ-ＧＷ１５へ送信する。また、ＳＧＳＮ２２は、切断ＰＤＮコネクションリスト及びタイマ起動要求を設定した変更信号を送信した後、後述するタイマ起動機能に未対応であることを示す変更応答信号を受け取った場合、変更処理後に相手Ｓ-ＧＷの処理能力に合わせて、ＰＤＮコネクションの切断信号をＰＤＮコネクション数分だけ個別に送信する既存切断方式に切り替える機能を備える。Ｓ-ＧＷ１５は、ＰＤＮコネクションの変更処理の中でＰＤＮコネクション切断用のタイマを起動するタイマ起動機能を有すると共に、変更応答にＰＤＮコネクション切断用にタイマ起動したことを示す情報ビットを設定する機能を有する。Ｓ-ＧＷ１５は、ＰＤＮコネクション切断用のタイマ満了後に切断対象ＰＤＮコネクションをそれぞれ切断する機能を備える。Ｓ-ＧＷ１５は、切断処理の実行後に、切断成功した複数のＰＤＮコネクション情報を切断応答信号に一括で設定してＳＧＳＮ２２へ送信する機能を備えても良い。
【００３０】
図２はＳ-ＧＷ１５およびＳＧＳＮ２２の機能ブロック図であり、主に変更処理及び切断処理に関する機能ブロックの概略を示している。ＳＧＳＮ２２は、Ｓ-ＧＷ１５を起点にして設定している複数ＰＤＮコネクションのうち所定数のＰＤＮコネクションを引き継ぎ、残りのＰＤＮコネクションを切断対象にする引き継ぎ処理部２２ａ、ＳＧＳＮ２２が引継いだ変更対象ＰＤＮコネクション情報を設定可能であると共に切断ＰＤＮコネクションリスト及びＰＤＮコネクション切断用のタイマ起動要求を設定可能な構造を有する変更信号をＳ-ＧＷ１５へ送信する変更要求部２２ｂと、Ｓ-ＧＷ１５からＰＤＮコネクション切断用のタイマを起動したことを明示する情報ビットが含まれた変更応答信号を受信する受信部２２ｃと、を具備する。受信部２２ｃが変更応答信号で受信したタイマ起動の有無に関する情報は変更要求部２２ｂへ渡される。変更要求部２２ｂはタイマ起動の有無が明示されていない場合はモードを通常処理のモードへ切替えることができる。
【００３１】
また、Ｓ-ＧＷ１５は、切断ＰＤＮコネクションリスト及びＰＤＮコネクション切断用のタイマ起動要求を設定可能な構造を有する変更信号を受信する受信部１５ａと、受信部１５ａで受信された変更信号に設定されたタイマ起動要求に応じてＰＤＮコネクション切断のためのタイマを起動するタイマ起動部１５ｂと、ＰＤＮコネクション切断用のタイマ満了時に切断対象ＰＤＮコネクションの切断処理を実行する切断処理部１５ｃと、変更応答信号にＰＤＮコネクション切断用のタイマを起動したことを示す情報ビットを設定してＳＧＳＮ２２へ送信する変更応答部１５ｄと、変更要求に応じて変更対象ＰＤＮコネクションをＳＧＳＮ２２へ接続する変更処理を実行する変更処理部１５ｅと、を具備している。なお、切断処理部１５ｃは、切断ＰＤＮコネクションリストに基づいて切断対象ＰＤＮコネクション特定する。
【００３２】
次に、ＰＤＮコネクションの変更処理の中で実行されるＰＤＮコネクション切断用のタイマ起動及び複数ＰＤＮコネクションの一括切断動作について具体的に説明する。
図１に示すように、移動機ＵＥがＥ−ＵＴＲＡ１１を介してｅＮｏｄｅＢ１３に接続していて、移動機ＵＥに対してＳ−ＧＷ１５が７つのＰＤＮコネクション＃１〜＃７を設定しているものとする。そして、移動機ＵＥがＥ−ＵＴＲＡ１１からＵＴＲＡＮ２０へＩｎｔｅｒ  ＲＡＴ  ＨＯし、ＳＧＳＮ２２が１つだけＰＤＮコネクションを引き継ぐと判断した場合について説明する。
【００３３】
図３はＳ-ＧＷ１５とＳＧＳＮ２２との間におけるＰＤＮコネクションの変更処理のシーケンス図である。ＳＧＳＮ２２は、ＭＭＥ１４から移動機ＵＥについて設定している全てのＰＤＮコネクション＃１〜＃７に関するＰＤＮコネクション情報（各ＰＤＮコネクション＃１〜＃７のデフォルトベアラＩＤ）やTarget  ＲＮＣ番号を含むハンドオーバーリクエストを受け取る。ＳＧＳＮ２２は、受信した全ＰＤＮコネクション情報から引継ぎ対象とするＰＤＮコネクション＃１を選出し、ＲＮＣ２１に無線区間のセットアップ要求を送出する。これにより、ＳＧＳＮ２２とＲＮＣ２１との間に引継ぎ対象とするＰＤＮコネクション＃１が設定される。
【００３４】
一方、ＳＧＳＮ２２は、全ての変更対象（引継ぎ対象）ＰＤＮコネクション情報（＃１）、引き継ぎしないで切断する６つのＰＤＮコネクション（＃２から＃７）のリストである切断ＰＤＮコネクションリスト及びＰＤＮコネクション切断用のタイマ起動要求を含んだ変更信号をＳ−ＧＷ１５に対して送出する（ステップＳ１）。ＧＴＰｖ２信号を拡張して切断ＰＤＮコネクションリストとＰＤＮコネクション切断用のタイマ起動要求とを設定可能な構造にした変更信号を送信することによって変更要求が実行される。Ｓ-ＧＷ１５及びＰ-ＧＷ１６は、変更信号から切断ＰＤＮコネクションリストを取り出し、タイマ満了後に切断ＰＤＮコネクションリストにしたがってＰＤＮコネクションを切断するので、切断処理工程で切断対象ＰＤＮコネクション情報を設定した切断信号の送信を繰り返す必要がなくなる。また、切断処理の前段で実行されるＰＤＮコネクションの変更処理の中でＰＤＮコネクション切断用のタイマ起動要求がＳ-ＧＷ１５に伝えられるので、ＰＤＮコネクションの変更処理後に切断要求を行う必要がなくなる。これにより、複数ＰＤＮコネクションを切断するために必要であった信号量の低減を図ることができる。
【００３５】
図４にＧＴＰｖ２信号を拡張した変更信号の信号フォーマットを示す。同図に示すように、変更信号の拡張パラメタとして情報要素Ｆ１、Ｆ２を追加している。情報要素Ｆ１は“切断対象Ｂｅａｒｅｒリスト”であり、切断対象となる各ＰＤＮコネクションのデフォルトベアラＩＤのリストが設定される。情報要素Ｆ２は“タイマ起動要求”であり、切断対象ＰＤＮコネクションの切断タイミングを定めたタイマの起動を要求する情報ビットが設定される。既存情報要素Ｆｎには、ＳＧＳＮ２２が引き継ぐべき変更対象のＰＤＮコネクション情報が設定される情報要素が含まれる。すなわち、変更対象ＰＤＮコネクション情報を通知するための変更信号に、切断ＰＤＮコネクションリストとＰＤＮコネクション切断用のタイマ起動要求とを設定可能にすることで、１つの変更信号を送るだけで、Ｓ-ＧＷ１５において切断対象となる全てのＰＤＮコネクションおよび切断タイミングを１回で通知できる。なお、情報要素Ｆ３“Ｐｒｉｖａｔｅ  Ｅｘｔｅｎｔｉｏｎ”はプライベートな拡張領域である。なお、各情報要素に対応して示す符号ＣＯは条件付きオプションパラメタ、Ｏはオプションを示している。図５においても同様である。
【００３６】
Ｓ-ＧＷ１５は、ＳＧＳＮ２２から変更信号（図４）を受信すると、当該変更信号に設定された変更対象のＰＤＮコネクション情報を取り出し、変更対象のＰＤＮコネクションをＳＧＳＮ２２へ接続する変更処理を実行する。また、Ｓ-ＧＷ１５は、変更信号に設定されたタイマ起動要求を受けてＰＤＮコネクション切断用のタイマを起動する（ステップＳ２）。変更処理後にＳＧＳＮ２２へ送信する変更応答信号にＰＤＮコネクション切断用のタイマを起動したことを明示する情報ビット設定する。タイマ起動を明示した情報ビットが設定された変更応答信号がＳＧＳＮ２２へ送信される（ステップＳ３）。
【００３７】
図５にＧＴＰｖ２信号を拡張した変更応答信号の信号フォーマットを示す。変更応答信号は、拡張パラメタとして情報要素Ｆ１１を含んで構成されている。情報要素Ｆ１１は“タイマ起動結果”が設定される。
【００３８】
Ｓ-ＧＷ１５が変更信号内の“切断対象Ｂｅａｒｅｒリスト”（Ｆ１）及び“タイマ起動要求”（Ｆ２）を解釈してＰＤＮコネクション切断用のタイマを起動するタイマ起動機能を備えていない場合、当然に変更応答信号内の情報要素Ｆ１１に“タイマ起動結果”は明示されない。このようなタイマ起動機能非対応のＳ-ＧＷ１５は、変更信号内の既存情報要素しか認識しないので、変更対象ＰＤＮコネクション情報にしたがってＰＤＮコネクションの変更処理だけを実行する。
【００３９】
ＳＧＳＮ２２は、Ｓ-ＧＷ１５から変更応答信号（図５）を受信すると、変更応答信号の情報要素Ｆ１１に“タイマ起動結果”が明示されているか否かチェックすることで、Ｓ-ＧＷ１５がタイマ起動機能を備えているか否か判断する（ステップＳ４）。Ｓ-ＧＷ１５が変更信号（図４）の拡張パラメタである情報要素Ｆ１、Ｆ２を認識して、切断対象ＰＤＮコネクションをタイマ満了後に切断するタイマ起動機能を搭載していれば、変更応答信号（図５）の情報要素Ｆ１１に“タイマ起動結果”が明示される。一方、変更応答信号（図５）が既存情報要素のみで情報要素Ｆ１１に“タイマ起動結果”が明示されていなければ、Ｓ-ＧＷ１５はタイマ起動機能を備えていないと判断できる。Ｓ-ＧＷ１５がタイマ起動機能非対応であることが判明すれば、変更信号に切断ＰＤＮコネクションリスト及びタイマ起動要求を設定してタイマ切断するモードから、従来方式のＰＤＮコネクション毎に切断信号を送信するモードに切り替える（図３中の（ｂ）の通常処理）。
【００４０】
また、ＳＧＳＮ２２は、ステップＳ４の処理でＳ-ＧＷ１５がタイマ起動機能を備えていると判断した場合、自ノード上の変更対象ＰＤＮコネクション以外の情報を削除する（ステップＳ５）。
【００４１】
一方、Ｓ-ＧＷ１５は、ステップＳ２でタイマ起動要求を受けて起動したＰＤＮコネクション切断用のタイマが満了したところで、全ての切断対象ＰＤＮコネクションを切断する（ステップＳ６）。ＰＤＮコネクション切断用のタイマは任意の時間を設定可能であり、０秒に設定されていれば即座（ステップＳ２と並列）に切断処理が開始される。Ｓ-ＧＷ１５は、変更信号に設定されている切断ＰＤＮコネクションリストである“切断対象Ｂｅａｒｅｒリスト”（Ｆ１）にしたがって切断対象ＰＤＮコネクション（デフォルトベアラ）を特定する。
【００４２】
なお、無線区間の理由によりハンドオーバコマンド送出後にキャンセルが生じた場合、ＰＤＮコネクション切断用のタイマ満了前であれば、切断処理がキャンセルされることになる。
【００４３】
以上のように、本実施の形態によれば、ＳＧＳＮ２２とＳ-ＧＷ１５との間で切断対象となる複数ＰＤＮコネクションに関する切断要求および切断応答を排除して信号量の増大を抑制することができ、ＳＧＳＮ２２及びＳ-ＧＷ１５の処理負荷を軽減できる。また、タイマ起動機能を備えていないＳ-ＧＷ１５に対する後方互換性も確保することができる。
【００４４】
次に、Ｓ-ＧＷ１５とＰ-ＧＷ１６との間のＰＤＮコネクションの切断処理の内容について説明する。
１つの対象移動機ＵＥに関して複数のＰＤＮコネクションが設定されている場合、幾つかのＰ-ＧＷ１６との間に１つ又は複数の切断対象ＰＤＮコネクションが接続されている可能性がある。たとえば、第１のＰ-ＧＷ１６（１）には切断対象ＰＤＮコネクション＃２から＃４が接続され、第２のＰ-ＧＷ１６（２）には切断対象ＰＤＮコネクション＃５から＃７が接続されているケースが想定される。このように、１つのＳ-ＧＷ１５と複数のＰ-ＧＷ１６との間に切断対象ＰＤＮコネクションが設定されている可能性があるので、Ｓ-ＧＷ１５は各Ｐ-ＧＷ１６に対して引継ぎ対象ＰＤＮコネクション、切断ＰＤＮコネクションリスト及びタイマ起動要求が一括して設定された変更信号を転送する。
【００４５】
図６はＳ-ＧＷ１５がＳＧＳＮ２２から変更要求を受信してＰ-ＧＷ１６との間のＰＤＮコネクションを切断するフロー図である。前提として、ＳＧＳＮ２２が、変更信号に対して図４に示す信号フォーマットで変更対象（引継ぎ対象）ＰＤＮコネクションリスト（Ｆｎ）と切断対象Ｂｅａｒｅｒリスト（Ｆ１）とタイマ起動要求（Ｆ２）を設定する。
【００４６】
Ｓ-ＧＷ１５は、ＳＧＳＮ２２から受信した変更信号の拡張パラメタに“タイマ起動要求”（Ｆ２）が設定されていれば（ステップＳ２１）、当該変更信号から変更対象ＰＤＮコネクションリスト（Ｆｎ）と切断対象Ｂｅａｒｅｒリストとを取得する（ステップＳ２２）。Ｓ-ＧＷ１５は、ＳＧＳＮ２２から受信した変更信号を各Ｐ-ＧＷ１６に対して転送する（ステップＳ２３）。
【００４７】
Ｓ-ＧＷ１５は、Ｐ-ＧＷ１６がタイマ起動機能対応であるか否か判断し（ステップＳ２４）、タイマ起動機能非対応であれば、Ｐ-ＧＷ１６に対して切断対象Ｂｅａｒｅｒリストの各Ｂｅａｒｅｒに関する切断信号を個別に送信する(ステップＳ２５)。そして、Ｓ-ＧＷ１５は、ステップＳ２２で取得した変更対象ＰＤＮコネクションリスト（Ｆｎ）に基づいて変更対象ＰＤＮコネクションについてＳＧＳＮ２２に接続するための変更処理を実行する（ステップＳ２６）。また、Ｓ-ＧＷ１５は、変更信号から取り出したタイマ起動要求に応じてＰＤＮコネクション切断用のタイマを起動する（ステップＳ２７）。タイマ起動した後、変更処理結果及びタイマ起動結果をＳＧＳＮ２２へ通知するための変更応答信号を生成する。図５に示すようにタイマ起動結果（Ｆ１１）が設定された変更応答信号をＳＧＳＮ２２へ送信する（ステップＳ２８）。
【００４８】
Ｓ-ＧＷ１５は、ＰＤＮ切断用のタイマが満了したら（ステップＳ２９）、“切断対象Ｂｅａｒｅｒリスト”（Ｆ１）記載のデフォルトベアラを切断する（ステップＳ３０）。“切断対象Ｂｅａｒｅｒリスト”記載のすべてのデフォルトベアラについて切断処理する（ステップＳ３１，３２）。切断処理を切断鑑賞したＰＤＮコネクションの接続情報を削除する(ステップＳ３３)。
【００４９】
なお、ＳＧＳＮ２２から受信した変更信号の拡張パラメタＦ２に“タイマ起動要求”（Ｆ２）が設定されていなければ（ステップＳ２１）、既存の変更処理を実行し（ステップＳ３４）、タイマ起動結果の含まれない通常の変更応答をＳＧＳＮ２２へ送信する（ステップＳ３５）。
【００５０】
このように、Ｓ-ＧＷ１５がＳＧＳＮ２２から受信した変更信号（変更対象ＰＤＮコネクションリスト（Ｆｎ）と切断ＰＤＮコネクションリスト（Ｆ１）及びＰＤＮ切断用のタイマ起動要求（Ｆ２）が設定されている）を、各Ｐ-ＧＷ１６へ転送してＰ-ＧＷ１６が引継ぎ対象ＰＤＮコネクションリスト（Ｆｎ）と切断ＰＤＮコネクションリスト（Ｆ１）から切断対象ＰＤＮコネクションを特定して切断できるようにしたので、Ｓ-ＧＷ１５とＰ-ＧＷ１６との間での切断要求と切断応答の送受信回数を削減でき、Ｓ-ＧＷ１５及びＰ-ＧＷ１６の処理負荷の軽減を図ることもできる。Ｓ-ＧＷ１５は、ＳＧＳＮ２２から受信した変更信号（図４）を各Ｐ-ＧＷ１６へ転送するだけで良いので、Ｓ-ＧＷ１５の処理負荷は大幅に軽減できる。
【００５１】
また、Ｓ-ＧＷ１５からＰ-ＧＷ１６へ送信される信号は、複数の切断対象ＰＤＮコネクションをＰ-ＧＷ１６で認識できる信号フォーマットであれば良く、変更信号の拡張パラメタにタイマ起動要求（Ｆ２）と変更対象ＰＤＮコネクションリスト（Ｆｎ）と切断ＰＤＮコネクションリスト（Ｆ１）とを設定する形式に限定されない。
【００５２】
以上のように、本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００５３】
１１  Ｅ-ＵＴＲＡＮ
１３  ｅＮｏｄeＢ
１４  ＭＭＥ
１５  Ｓ-ＧＷ
１５ａ  受信部
１５ｂ  タイマ起動部
１５ｃ  切断処理部
１５ｄ  変更応答部
１５ｅ  変更処理部
１６  Ｐ-ＧＷ
１７  ＰＤＮ
２０  ＵＴＲＡＮ
２１  ＲＮＣ
２２  ＳＧＳＮ
２２ａ  引き継ぎ処理部
２２ｂ  変更要求部
２２ｃ  受信部
ＵＥ  移動機
【図１】
2012044255.tif 000003
【図２】
2012044255.tif 000004
【図３】
2012044255.tif 000005
【図４】
2012044255.tif 000006
【図５】
2012044255.tif 000007
【図６】
2012044255.tif 000008
【図７】
2012044255.tif 000009
【図８】
2012044255.tif 000010